(57)【要約】【課題】複数の印刷機に対してインキ供給量等の印刷制御量を速やかに通知すること。【解決手段】輪転印刷機２が備えるインキキー毎に、インキキー開度を演算する演算部８１と、演算部８１により演算されたインキキー開度が前回のインキキー開度と同じ値であるか否かをインキキー毎に判断する判断部８２と、演算部８１により演算された今回のインキキー開度が前回のインキキー開度と同じ値であるインキキーにおいては、その制御指令として継続データを採用し、これに対して、上記両者の値が異なるインキキーに対しては、制御指令として、今回のインキキー開度を採用して、輪転印刷機２に関する色調整データを作成するデータ作成部８３と、データ作成部８３により作成された色調整データを輪転印刷機２に送信する送信部８４とを備える色調整装置を提供する。【選択図】図９
2007185932.tif 000002
【特許請求の範囲】
【請求項１】
印刷機が備えるインキ供給装置のインキ供給単位幅で印刷絵柄を分割したインキ供給領域毎に、インキ供給に関する制御量を演算する演算手段と、
前記演算手段により演算された制御量が前回の制御量と同じ値であるか否かを前記インキ供給単位領域毎に判断する判断手段と、
前記演算手段により演算された前記制御量が前回の制御量と同じ値である前記インキ供給単位領域に対する制御指令として、現在の制御状態を継続して行う旨を指示する継続データを採用し、前記制御量が前回の制御量と異なる値である前記インキ供給単位領域に対する制御指令として、前記演算手段によって演算された制御量からなる有効データを採用して、前記印刷機に関する全ての前記制御指令を１つのデータフレームとして作成するデータ作成手段と、
前記データ作成手段により作成されたデータフレームを前記印刷機に送信する送信手段と
を具備する色調整装置。
【請求項２】
前記印刷機が複数の印刷ユニットを備えている場合において、
前記データフレームは複数のサブフレームに分割可能に構成され、
各前記サブフレームは、各前記印刷ユニットに関する前記制御指令を構成要素データとするとともに、前記印刷ユニットのアドレスがそれぞれ付されている請求項１に記載の色調整装置。
【請求項３】
ネットワークを介して複数の印刷機と接続されている場合において、前記複数の印刷機のうち、自己の管理下にある前記印刷機に対して前記データフレームをそれぞれ個別に送信する請求項１または請求項２に記載の色調整装置。
【請求項４】
前記印刷機が複数の印刷ユニットを備えており、そのうちの一部の印刷ユニットが自己の管理下にある場合において、
前記データ作成手段は、自己の管理下にない前記印刷ユニットに関する制御指令については前記継続データを採用して前記データフレームを作成する請求項３に記載の色調整装置。
【請求項５】
請求項１から請求項４のいずれかに記載の色調整装置と、前記色調整装置とネットワークを介して接続される複数の印刷機とを備える印刷システムであって、
前記色調整装置は、自己の管理下にある前記印刷機に対して前記データフレームをそれぞれ個別に送信する印刷システム。
【請求項６】
印刷機が備える複数の湿し装置についての湿し水供給量に関する制御量をそれぞれ演算する演算手段と、
前記演算手段により演算された制御量が前回の制御量と同じ値であるか否かを前記湿し装置毎に判断する判断手段と、
前記演算手段により演算された前記制御量が前回の制御量と同じ値である前記湿し装置に対する制御指令として、現在の制御状態を継続して行う旨を指示する継続データを採用し、前記制御量が前回の制御量と異なる値である前記湿し装置に対する制御指令として、前記演算手段によって演算された制御量からなる有効データを採用して、前記印刷機に関する全ての前記制御指令を１つのデータフレームとして作成するデータ作成手段と、
前記データ作成手段により作成されたデータフレームを前記印刷機に送信する送信手段と
を具備する色調整装置。
【発明の詳細な説明】
【技術分野】
【０００１】
本発明は、複数の印刷機と複数の色調整装置とを備える印刷システムに関するものである。
【背景技術】
【０００２】
枚葉印刷機や輪転印刷機等の印刷機では、インキ供給装置に備えられたインキキーとインキ元ローラとの隙間量（以下、「インキキー開度」という。）を調節することにより、インキ壷から印刷胴に供給するインキ供給量を調節している。
従来、上記インキ供給量は、オペレータが、印刷見本と実際に印刷された紙面との色調を目視にて確認することにより調節していた。また、近年では、インキキー開度を自動で調節することのできるインキ供給量の自動設定装置が開発され（特許文献１等）、オペレータの負担軽減や定量性の確保を容易にしている。
特許文献１の技術では、印刷シートの走行ライン上に設けられたラインセンサ型ＩＲＧＢ濃度計によって印刷シートのキーゾーン毎の実混色網濃度を計測し、実混色網濃度の計測結果に基づいて各インキ色の実単色網濃度を検出し、実単色網濃度が目標単色網濃度となるように、それぞれのキーゾーンに対応するインキキーの開度を調節するようにフィードバックを行っている。
また、上記特許文献１では、印刷機とは離れた場所に設置された演算装置において、印刷シートの各キーゾーン毎のインキキー開度を演算し、このインキキー開度をネットワークを介して印刷機に内蔵されている制御装置に対して送信している。
【特許文献１】特開２００４−１０６５２３号公報
【発明の開示】
【発明が解決しようとする課題】
【０００３】
しかしながら、上述した特許文献１に開示された従来の色調整技術においては、離れた場所に設置された演算装置から印刷機に内蔵されている制御装置に対して、上記インキキー開度を高速にフィードバックすることが難しいという問題があった。
特に、多量の印刷を高速で行う新聞印刷等の場合には、色調整を迅速にフィードバックさせる必要があり、高速処理を可能とするシステム構築が望まれていた。
【０００４】
本発明は、上記問題を解決するためになされたもので、インキ供給量等の印刷に関する制御量を高速にフィードバックさせることのできる色調整装置および印刷システムを提供することを目的とする。
【課題を解決するための手段】
【０００５】
上記課題を解決するために、本発明は以下の手段を採用する。
本発明は、印刷機が備えるインキ供給装置のインキ供給単位幅で印刷絵柄を分割したインキ供給領域毎に、インキ供給に関する制御量を演算する演算手段と、前記演算手段により演算された制御量が前回の制御量と同じ値であるか否かを前記インキ供給単位領域毎に判断する判断手段と、前記演算手段により演算された前記制御量が前回の制御量と同じ値である前記インキ供給単位領域に対する制御指令として、現在の制御状態を継続して行う旨を指示する継続データを採用し、前記制御量が前回の制御量と異なる値である前記インキ供給単位領域に対する制御指令として、前記演算手段によって演算された制御量からなる有効データを採用して、前記印刷機に関する全ての前記制御指令を１つのデータフレームとして作成するデータ作成手段と、前記データ作成手段により作成されたデータフレームを前記印刷機に送信する送信手段とを具備する色調整装置を提供する。
【０００６】
このような構成によれば、演算手段によってインキ供給領域毎に演算されたインキ供給量に関する制御量は、判断手段により前回の制御量とそれぞれ比較され、この比較結果に基づいて印刷機に送信するデータフレームがデータ作成手段により作成される。ここで、データ作成手段は、前回の制御量と今回演算された制御量とが同じ値であった場合、そのインキ供給領域に対する制御指令として、現在の制御状態を継続して行う旨を指示する継続データを採用する。これにより、当該データフレームを受信した印刷機側では、制御指令として継続データが採用されているインキ供給領域に対しては、特に制御量を気にすることなく、現在行っている制御を継続して行えばよいこととなるので、処理負担の軽減等を図ることが可能となる。
【０００７】
本発明の色調整装置においては、前記印刷機が複数の印刷ユニットを備えている場合、前記データフレームが、複数のサブフレームに分割可能に構成され、各前記サブフレームは、各前記印刷ユニットに関する前記制御指令を構成要素データとするとともに、前記印刷ユニットのアドレスがそれぞれ付されていることが好ましい。
【０００８】
このような構成によれば、データフレームが各印刷ユニットに関するサブフレームに分割可能に構成されているので、このデータフレームを受信した印刷機側では、データフレームをサブフレームに分割して、各サブフレームをそれぞれの印刷ユニットに振り分けることが可能となる。これにより、各印刷ユニットは略同時にインキ供給量の調整を行うことができる。換言すると、インキ供給量の調整を印刷機単位で一括して行うことが可能となるので、印刷物の色調が除々に変化することを回避でき、安定した品質を保つことが可能となる。加えて、表裏両面の印刷を行う印刷機については、表裏の品質についても安定させることが可能となる。
【０００９】
本発明の色調整装置においては、ネットワークを介して複数の印刷機と接続されている場合、前記複数の印刷機のうち、自己の管理下にある前記印刷機に対して前記データフレームをそれぞれ個別に送信することが好ましい。
【００１０】
このような構成によれば、複数の印刷機とネットワークを介して接続されている場合には、自己の管理下にある印刷機に対してのみ、その印刷機に関するデータフレームを送信するので、関係のある印刷機に対してのみ効率よく情報を送信することが可能となる。
【００１１】
本発明の色調整装置においては、前記印刷機が複数の印刷ユニットを備えており、そのうちの一部の印刷ユニットが自己の管理下にある場合において、前記データ作成手段は、自己の管理下にない前記印刷ユニットに関する制御指令については前記継続データを採用して前記データフレームを作成することが好ましい。
【００１２】
このような構成によれば、１台の印刷機が備える複数の印刷ユニットに関するインキ供給量の調整を複数の色調整装置により管理する場合、各色調整装置は、自己の管理下にない印刷ユニットに関する制御指令については継続データを採用したデータフレームを作成して、印刷機に送信する。これにより、１台の印刷機が複数の色調整装置の管理下におかれた場合でも、常に同一形式のデータフレームにて取り扱うことが可能となる。
【００１３】
本発明は、請求項１から請求項４のいずれかに記載の色調整装置と、前記色調整装置とネットワークを介して接続される複数の印刷機とを備える印刷システムであって、前記色調整装置は、自己の管理下にある前記印刷機に対して前記データフレームをそれぞれ個別に送信する印刷システムを提供する。
【００１４】
本発明は、印刷機が備える複数の湿し装置についての湿し水供給量に関する制御量をそれぞれ演算する演算手段と、前記演算手段により演算された制御量が前回の制御量と同じ値であるか否かを前記湿し装置毎に判断する判断手段と、前記演算手段により演算された前記制御量が前回の制御量と同じ値である前記湿し装置に対する制御指令として、現在の制御状態を継続して行う旨を指示する継続データを採用し、前記制御量が前回の制御量と異なる値である前記湿し装置に対する制御指令として、前記演算手段によって演算された制御量からなる有効データを採用して、前記印刷機に関する全ての前記制御指令を１つのデータフレームとして作成するデータ作成手段と、前記データ作成手段により作成されたデータフレームを前記印刷機に送信する送信手段とを具備する色調整装置を提供する。
【発明の効果】
【００１５】
本発明によれば、インキ供給量等の印刷に関する制御量を高速にフィードバックさせることができるという効果を奏する。
【発明を実施するための最良の形態】
【００１６】
以下、本発明の印刷システムを新聞印刷に用いられる印刷システムに適用した場合の一実施形態について、図を参照して説明する。
図１は、本実施形態に係る印刷システムの概略構成を示した図である。この図に示すように、印刷システム１は、複数の輪転印刷機２ａ乃至２ｊ（以下、各輪転印刷機を区別しない場合には単に符号「２」を付し、各輪転印刷機を区別して表現するときは符号「２ａ」、「２ｂ」等を付す。以下、他の構成要素についても同様とする。）と、複数のターンバー列部３ａ、３ｂと、複数の折機４ａ、４ｂとを備えている。更に、印刷システム１は、各折機４ａ、４ｂに対応して設けられ、該折機４ａ、４ｂにそれぞれ連結される輪転印刷機２を支配下において制御する色調整装置５０ａ、５０ｂを備えている。また、色調整装置５０ａ，５０ｂのそれぞれに対応して遠隔操作卓５１ａ、５１ｂが設けられている。遠隔操作卓５１ａ、５１ｂは、例えば、オペレータが色調整に関する制御指令を入力するためのものである。
【００１７】
このような印刷システム１において、各折機４ａ，４ｂに連結される輪転印刷機２は、印刷内容によって任意に選択することが可能な構成とされている。例えば、図１では、連結の一態様として、輪転印刷機２ａ乃至２ｅを折機４ａに、輪転印刷機２ｆ乃至２ｊを折機４ｂに連結している。なお、連結方式については、主駆動モータによりラインシャフトを通じて各輪転印刷機、折機等を同期させながら駆動するシャフト駆動式のものでもよく、或いは、上述のラインシャフトではなく、それぞれ個別の電動モータによって互いに同期して作動するように駆動させるシャフトレス式のものであっても良い。
【００１８】
上記印刷システム１において、各輪転印刷機２は、給紙装置６と、印刷部７とを備えている。給紙装置６は、例えば、ウェブＷがロール状に巻かれた巻取紙を回動自在に保持する３対のアームおよび紙継装置をそれぞれ備えている。印刷部７は、複数の印刷ユニット８がタワー状に積層された構造となっている。印刷部７が備える印刷ユニット８の台数は、印刷する色に応じて決定される。例えば、両面４色印刷を行なう場合には、Ｃ（シアン）、Ｍ（マゼンダ）、Ｙ（イエロー）、及びＫ（ブラック）からなる４色をウェブＷの表裏両面に印刷する必要があることから、印刷部７は、合計で８つの印刷ユニット８を備えることとなる。また、両面２色印刷を行う場合には、Ｋ（ブラック）ともう一色からなる２色をウェブＷの表裏両面に印刷する必要があることから、印刷部７は、合計で４つの印刷ユニット８を備えることとなる。
【００１９】
図２は、対向配置された２つの印刷ユニットの概略構成を示す模式的な側面図である。図２に示すように、印刷ユニット８は、インキを供給するインキ供給装置１１と、湿し水を供給する湿し装置（図示せず）と、インキ供給装置１１および湿し装置に対向配置された版胴１３と、この版胴１３に対向配置されたゴム胴（ブランケット胴）１４とを備えている。
【００２０】
以下、印刷ユニット８が備える各部について図３乃至図７を参照して説明する。
図３乃至図６は、インキ供給装置１１を示す図であり、図３はインキ供給装置から版胴までのインキ供給に係る構成を示す模式的な側面図、図４はウェブとインキキーユニットの関係を示す図、図５はインキキーユニットの概略構成を示す図、図６はインキキー開度を調整するインキキー開度調整装置の概略構成を示す図である。
インキ供給装置１１は、図３に示すように、インキキーユニット２０、インキ壷２９、インキ元ローラ２１、インキ移しローラ２２、インキ練りローラ群２３、揺動ローラ２４、および印刷時に版胴１３に対して接触する３本のインキ着けローラ２５を備えている。
【００２１】
上記インキキーユニット２０は、例えば、ウェブＷに印刷するページ数に応じて設けられている。本実施形態では、輪転機システム１は、新聞印刷用のものである。したがって、図４に示すように、ウェブＷは、４ページ分の印刷幅を有している。このため、インキ供給装置１１は、インキ元ローラ２１の回転軸方向に沿って並設された４つのインキキーユニット２０を備えている。
【００２２】
各インキキーユニット２０は、図５に示すように、８つのインキキー２６ａ乃至２６ｈを備えている。隣り合うインキキー２６ａ乃至２６ｈ、並びに、端部のインキキー２６ａと側板２７とは互いに摺接している。また、図６に示すように、各インキユニット２０における各インキキー２６ａ乃至２６ｈは、支点軸２８を中心にしてそれぞれ独立して揺動できるように構成されている。これにより、各インキキー２６ａ乃至２６ｈとインキ元ローラ２１の周面との隙間、換言すると、インキキー開度を個別に調節できるようになっている。各インキキー２６の下方には、インキキー開度を調節するための機構であるインキキー開度調節装置３０がそれぞれ設けられている。
【００２３】
インキキー開度調節装置３０は、各インキキー２６の先端下面に当接する押上金具３１と、押上金具３１に先端を当接し、前後方向に伸縮することにより押上金具３１を揺動昇降させるプッシャ３２と、動転駆動することによってプッシャ３２を前進または後退させるように接続されたアクチュエータとしてのモータ３３とを備えている。モータ３３は、例えば、ステッピングモータ等である。このモータ３３は、後述するローカルＣＰＵ３８に電気的に接続されている。ローカルＣＰＵ３８は、図１に示した色調整装置５０ａ、５０ｂからの制御指令（後述の「カラム調整データ」に相当する。）に基づいて、モータ３３に励磁信号を出力することによりモータ３３を駆動し、上述のインキキー開度をインキキー毎に独立に制御する構成とされている。
【００２４】
また、モータ３３の回転軸はギアを介して駆動伝達可能に回転軸の回転角位置を検知するポテンショメータ３４に接続されている。ポテンショメータ３４によって検知されたモータ３３の回転角はプッシャ３２の前進後退位置すなわち、各インキキー２６の揺動角度に対応しており、これによって各インキキー２６のモータ開度を検知することができる。ポテンショメータ３４は、ローカルＣＰＵ３８に電気的に接続されている。これにより、ポテンショメータ３４による検知結果がローカルＣＰＵ３８に転送される構成となっている。
このように構成されたインキキー開度調節装置３０においては、ローカルＣＰＵ３８により各モータ３３がそれぞれ独立して駆動される。この駆動状態に応じてプッシャ３２は前後方向に伸縮し、押上金具３１の先端が揺動昇降することとなる。これにより、各インキキー開度が個別に調節され、好適なインキ量がインキ壷からインキ元ローラ２１の周面へ転写されることとなる。
【００２５】
次に、図２に示した本実施形態に係る印刷ユニットが備える湿し装置、版胴１３、およびゴム胴１４について図７を参照してそれぞれ説明する。図７は、インキ着けローラからゴム胴までのインキ供給に係る構成を示す模式的な側面図である。
図７に示すように、湿し装置３８は、水着ローラ４０、水ライダローラ４１、水揺動ローラ４２などの複数のローラと印刷頁に応じたスプレーノズルを複数有するスプレーダンプナ３９を備えており、印刷頁毎に個々に湿し水の量を調整して供給するようになっている。また、間欠式噴霧やその噴霧時間を制御することにより、印刷速度や絵柄に応じた水量調整を実現している。
【００２６】
版胴１３は、印刷用画像が形成された刷版が外周に巻回されるように円筒状とされている。刷版は、印刷すべき画像毎に作成され、交換される。版胴１３は、外周の一部の角度範囲が軸線方向に切り欠かれた状態となっており、この位置４５に、刷版の上流端である版頭および刷版の下流端である版尻を掴んで固定する版締め装置（図示せず）が設けられている。
【００２７】
ゴム胴１４は、版胴１３の刷版上のインキを受け取り、図２に示すように、互いに対抗配置された他のゴム胴１４との間を通過するウェブＷに対してインキを転移する。ゴム胴１４の外周には、ブランケットとしてゴムが巻回されている。ゴム胴１４は、図７に示すように、外周の一部の角度範囲が軸線方向に切り欠かれた状態となっており、この位置４６に、ゴムの上流端および下流端を掴んで固定するゴム締め装置（図示せず）が設けられている。ゴム胴１４は、印刷を行わない非印刷時等には、版胴１３及び対向配置されたゴム胴１４から離間させる（胴抜き）ことができるようになっている。
【００２８】
上述したような種々の構成要素を備える輪転印刷機２においては、図１に示すように、給紙装置６から送り出されるウェブＷは印刷部７に供給される。印刷部７では、図３および図６に示したように、各印刷ユニット８において、インキ供給装置１１のインキキー開度がインキキー開度調節装置３０により適度な開度に調節されることにより、適量のインキがインキ壷２９からインキ元ローラ２１の周面に供給される。インキ元ローラ２１に供給されたインキは、図３に示すように、インキ移しローラ２２を介してインキ練りローラ群２３に供給され、インキ練りローラ群２３の周面を通過する間に適度に練られる。続いて、インキ揺動ローラ２４により、各キーゾーンの境界線におけるインキ膜厚についての極端なインキ膜厚変化が緩和された後に、インキ着けローラ２５を介して版胴１３の版面に供給され、版面１３に付着したインキが、図７および図２に示すようにゴム胴１４を介して絵柄としてウェブＷに転写される。
【００２９】
このようにして、ウェブＷは、図２に示すように、各印刷ユニット８の対抗配置されたゴム胴１５の間を通過する際に、表面および裏面にゴム胴１４から像がそれぞれ転写され、表面および裏面に４色または２色の印刷が施される。そして両面印刷が施されたウェブＷは、図１に示すように、それぞれ連結されたターンバー列部３に供給される。
ターンバー列部３は、多数のターンバーを備えており、各輪転印刷機２からのウェブＷの走行ルートを変更し、その重なり順番を変えられるように構成されている。このようにしてターンバー列部３から排出された各ウェブＷは、連結される折機４に供給される。折機４では、ターンバー列部３から送られる複数のウェブＷが重ねられた後、縦折り、縦切断、横折り、横切断等されて、所望の折帳とされ、排出される。
【００３０】
上記印刷システム１において、上記各輪転印刷機２とターンバー列部３との間には、各輪転印刷機２により印刷された各紙面の混色網濃度（以下、「実混色網濃度」という。）を計測するためのＩＲＧＢ濃度計１０が各輪転印刷機２に対応してそれぞれ設けられている。具体的には、ＩＲＧＢ濃度計１０は、ウェブＷの搬送経路を挟むようにして表裏両側に配置されているので、本実施形態に係る印刷システム１では、合計２０個のＩＲＧＢ濃度計１０が配置されていることとなる。
このＩＲＧＢ濃度計１０は、ウェブＷ上に転写されたインキの反射光をＩ（赤外光）、Ｒ（赤）、Ｇ（緑）、Ｂ（青）の反射濃度として計測する計測器であり、ウェブＷの全幅の実混色網濃度を計測するほか、任意の位置の実混色網濃度を計測することも可能な構成となっている。
【００３１】
図８に示すように、上述した各ＩＲＧＢ濃度計１０を備えるセンサ群５２は、ネットワークを介して色調整装置５０ａ、５０ｂと接続されている。色調整装置５０ａ、５０ｂは、ＩＲＧＢ濃度計１０により計測された各紙面のインキキーごとの実混色網濃度に基づいて各インキ色の実単色網濃度を検出し、実単色網濃度と目標単色網濃度とを比較することにより、自己の管理下におかれた各輪転印刷機２に対応するインキ供給量を調節するための色調整データを作成し、これら色調整データを各輪転印刷機２の制御装置に対してそれぞれ個別に出力することにより、各輪転印刷機２の自動色調整を実現させる。そして、このような処理を一定時間間隔で繰り返し行うことにより、色調整のフィードバック制御を実現させる。
【００３２】
次に、上述した輪転印刷機２におけるインキ供給量を制御するための制御システムについて図を参照して更に詳しく説明する。図８は、輪転印刷機２を制御する制御システムのネットワーク構成を示す図である。
図８に示すように、各輪転印刷機２ａ乃至２ｊにそれぞれ設けられたＩＲＧＢ濃度計１０等からなるセンサ群５２は、データ伝送媒体（以下、「ネットワーク」という。）を介して色調整装置５０ａ、５０ｂとそれぞれ接続されている。更に、色調整装置５０ａ、５０ｂの各々は、輪転印刷機２ａ乃至２ｊの各々がそれぞれ備える制御装置３５ａ乃至３５ｊとネットワーク１００を介して接続されている。更に、上記ネットワーク１００には、オペレータが遠隔から色調整等を手動で行うための遠隔操作卓５１ａ、５１ｂが接続されている。
このように、本実施形態の印刷システム１においては、色調整装置５０ａ，５０ｂ、遠隔操作卓５１ａ、５１ｂ、ならびに全ての制御装置３５ａ乃至３５ｊの間において、双方向通信を可能とするネットワークが構築されている。上記ネットワークは、無線、有線のいずれでも良く、一例としてＬＡＮ、イーサネット（登録商標）等が挙げられる。
【００３３】
上記色調整装置５０ａ、５０ｂは、図９に示すように、演算部（演算手段）８１と、判断部（判断手段）８２と、データ作成部（データ作成手段）８３と、送信部（送信手段）８４とを備えている。
演算部８１は、インキキー（インキ供給領域）毎に、インキ供給に関する制御量であるインキキー開度を演算する。具体的には、演算部８１は、ＩＲＧＢ濃度計１０により計測された各紙面のインキキーごとの実混色網濃度に基づいて各インキ色の実単色網濃度を検出し、実単色網濃度を予め保有している目標単色網濃度に一致させるためのインキキー開度を算出する。
【００３４】
ここで、輪転印刷機２が８台の印刷ユニット８を備える場合、図４乃至図５に示したように、各印刷ユニット８には、インキキーユニット２０が４台設けられており、各インキキーユニット２０は８本のインキキー２６を備えているので、輪転印刷機２は合計で２５６本のインキキー２６を備えていることとなる。従って、この場合、演算部８１は、２５６本の各インキキー２６に対応するインキキー開度をそれぞれ演算することとなる。
【００３５】
このようにして演算された２５６本のインキキー開度は、演算部８１から判断部８２に出力される。判断部８２は、演算部８１により前回演算されたインキキー開度を保持しており、演算部８１から新しいインキキー開度を受け付けると、今回受け付けたインキキー開度（以下「最新のインキキー開度」という。）と前回のインキキー開度とが同じ値であるか否かをインキキー毎に判断する。そして、この判断結果をデータ作成部８３に出力する。
【００３６】
データ作成部８３は、判断部８２による比較結果に基づいて輪転印刷機２に対して送信するデータフレーム（以下、このデータフレームを「色調整データ」という。）を作成する。図１０は、８つの印刷ユニット８を備える輪転印刷機２に対して送信される色調整データの構造を模式的に示した図である。図１０に示すように、色調整データは、８つの印刷ユニット用データ（サブフレーム）から構成されている。この印刷ユニット用データの各々は、４つのインキキーユニットデータから構成されており、更に、このインキキーユニットデータの各々は、８つのカラム調整データから構成されている。このカラム調整データは、インキキー２６の一つ一つに対応するインキキー開度に関する制御指令である。
【００３７】
ここで、データ作成部８３は、上記各インキキー開度に関する制御指令として、上述した判断部８２による比較結果に応じたデータを採用する。具体的には、最新のインキキー開度と前回のインキキー開度とが同じ値であった場合には、現在の制御状態を継続して行う旨を指示する継続データを当該インキキーに関する制御指令として採用する。つまり、図１０に示したカラム調整データとして継続データを書き込む。この継続データは、後述する有効データとは決して混同しない値であり、例えば、有効データが「００００」乃至「０９９９」の範囲であった場合には、この範囲以外の値、例えば「８０００」等が用いられる。
一方、最新のインキキー開度と前回のインキキー開度とが異なる値であった場合には、当該インキキーに関する制御指令として、最新のインキキー開度からなる有効データを採用する。つまり、図１０に示したカラム調整データとして最新のインキキー開度を書き込む。
【００３８】
データ作成部８３は、全てのカラム調整データに継続データまたは有効データを書き込むことにより色調整データを作成すると、この色調整データを送信部８４に出力する。なお、上記色調整データにおいて、各カラム調整データには対応するインキキーの識別情報（例えば、アドレス等）が付加されており、同様に、インキキーユニット用データには、対応するインキキーユニット２０の識別情報（例えば、アドレス等）が付加されており、また、印刷ユニット用データには、対応する印刷ユニットの識別情報（例えば、アドレス等）が付加されている。また、色調整データには、上述した合計２５６個のカラム調整データ、アドレス等の識別情報のほかに、スタート符号、アドレスデータ、訂正符号、エンド符号等からなるデータ通信を可能とする種々の情報が含まれている。
送信部８４は、この色調整データを対応する輪転印刷機２に対してネットワーク１００を介して出力する。
【００３９】
色調整装置５０は、自己の管理下におかれた各輪転印刷機２に対して上述した処理を実行することにより、輪転印刷機２ごとにそれぞれ色調整データを作成し、これら色調整データを各輪転印刷機２の制御装置３５に対してそれぞれ個別に出力することにより、各輪転印刷機２の自動色調整を実現させる。そして、このような処理を一定時間間隔で繰り返し行うことにより、色調整のフィードバック制御を実現させる。
【００４０】
次に、制御装置３５について説明する。本実施形態に係る制御装置３５は、主に、輪転印刷機２が備える各インキキー開度を制御するものであり、例えば、８台の印刷ユニット８を備える輪転印刷機２に対応する制御装置３５においては、合計２５６本（印刷ユニット８の台数＊各印刷ユニットが備えるインキユニット２０の数＊各インキユニット２０が備えるインキキー２６の本数＝８＊４＊８＝２５６）のインキキーの開度を制御する能力を備えている。
【００４１】
具体的には、制御装置３５は、図１１に示すように、色調整装置５０とのインタフェース等として機能するリモートＣＰＵ３６、および各印刷ユニット８に対応して設けられた印刷ユニット制御装置３７を備えている。つまり、印刷ユニット８を８台備えてなる輪転印刷機２の場合、印刷ユニット制御装置３７は８個設けられることとなる。この印刷ユニット制御装置３７の各々は、自己の管理下にある３２本のインキキーにそれぞれ対応するカラム調整データをそれぞれ書き込むための３２個のメモリエリアを有している。これら各メモリエリアには、各インキキーを識別するための識別情報がアドレスとして付されている。また、この各メモリエリアには、初期値として継続データが書き込まれている。
このような印刷ユニット制御装置３７の各々は、３２個のローカルＣＰＵ３８をそれぞれ管轄する。詳細には、このローカルＣＰＵ３８は、各印刷ユニット８が備える３２本のインキキーにそれぞれ対応して設けられている。各ローカルＣＰＵ３８は、対応するインキキーのインキキー開度を制御する。具体的には、各インキキー２６ａから２６ｈの個々に対応して設けられたインキキー調整装置３０のモータ３３に対して制御指令を与えることにより、インキキー開度を好適な値に調節する。
更に、各制御装置３５には、各輪転印刷機２における色調整を手動で行うための操作パネル６０が接続されている。この操作パネル６０は、各制御装置３５が備えるリモートＣＰＵ３６に接続されている。
【００４２】
このような制御装置３５は、上述の色調整装置から色調整データを受信すると、以下のように作動する。
まず、制御装置３５のリモートＣＰＵ３６は、色調整装置５０から色調整データを受信すると、この色調整データを各印刷ユニット制御装置３７に対して並行して出力する。
印刷ユニット制御装置３７は、色調整データのうち、自分宛ての印刷ユニット用データのみを取り込み、更に、この印刷ユニット用データを分解することにより、各カラム調整データを取り出す。そして、取り出したカラム調整データを自己が備える各メモリエリアにそれぞれ書き込む。
【００４３】
このとき、印刷ユニット制御装置３７は、カラム調整データとして継続データが書き込まれている場合には、対応するメモリエリアに対してデータの書き込みを行わず、一方、カラム調整データとして有効データが書き込まれている場合には、その対応メモリエリアに対して有効データの上書きを行う。
これにより、カラム調整データとして継続データが書き込まれているものに対してはそのメモリアドレスは前回の値が維持されることとなり、有効データの場合には新たな値が書き込まれることとなる。
【００４４】
続いて、印刷ユニット制御装置３７は、書き換え後のメモリアドレスの値に基づいて、ローカルＣＰＵ送信用のデータフレームを作成し、このデータフレームを各ローカルＣＰＵ３８に対して並行して出力する。
【００４５】
ローカルＣＰＵ３８は、ローカルＣＰＵ送信用のデータフレームを受け取ると、このデータフレームから自分宛のデータのみを取り込む。そして、取り込んだデータのうち、有効データに対してのみインキ供給量の調整を行う。つまり、有効データに基づく励磁信号をモータ３３に出力することにより、インキキー開度を目標値に一致させる。
一方、ローカルＣＰＵ３８は、継続データが書き込まれているインキキーに対応するモータ３３に対しては、現在の制御状態を維持する。つまり、あるインキキー開度に向けてモータを駆動している最中であれば、その駆動制御を引き続き行い、一方、モータが停止している場合には、停止状態を維持する。
そして、上述した処理が、色調整データを受信する度に行われることにより、色調整のフィードバック制御が自動的に実現されることとなる。
【００４６】
次に、上述した各構成要素を備える制御システムの作用について説明する。
まず、印刷を開始するに当たり、図示しない上位の装置から各色調整装置５０ａ、５０ｂに対して、管理下におかれる輪転印刷機２の情報が通知される。
ここで、色調整装置５０ａ、５０ｂの管理下に属する各輪転印刷機２は、色調整装置５０ａ、５０ｂと対をなして設置された折機４ａ、４ｂに連結されている輪転印刷機となる。本実施形態では、図１に示したように、色調整装置５０ａに対応する折機４ａには、輪転印刷機２ａ乃至２ｅが連結されているので、色調整装置５０ａには、輪転印刷機２ａ乃至２ｅが管理下におかれる旨の情報が通知される。同様に、色調整装置５０ｂに対しては、輪転印刷機２ｆ乃至２ｊが管理下におかれる旨の情報が通知される。なお、この情報は、例えば、遠隔操作卓５１ａ、５１ｂからそれぞれ通知されるものでも良いし、図示しない上位のコンピュータから通知されるものでも良い。
【００４７】
このようにして、自己の管理下に置かれる輪転印刷機２の情報が通知されると、色調整装置５０ａ，５０ｂは、内蔵されたメモリ等にこの情報を保存することにより、当該情報を保持する。
続いて、色調整装置５０ａ，５０ｂは、自己の管理下であると通知された各輪転印刷機２の制御装置３５に対して、データ伝送を行うための回線接続の要求を出力する。本実施形態では、図１２に示すように、色調整装置５０ａは、輪転印刷機２ａ乃至２ｅの各制御装置３５ａ乃至３５ｅに対して回線＃１乃至＃５の接続要求をそれぞれ出力し、色調整装置５０ｂは、輪転印刷機２ｆ乃至２ｊの各制御装置３５ｆ乃至３５ｊに対して回線＃６乃至＃１０の接続要求を出力する。
【００４８】
この回線の接続要求を受け付けた各制御装置３５ａ乃至３５ｊは、この要求に応じることにより、色調整装置５０ａと各制御装置３５ａ乃至３５ｅとの間で１：５の通信回線が確立され、同様に、色調整装置５０ｂと制御装置３５ｆ乃至３５ｊとの間で１：５の通信回線が確立される。これにより、色調整装置５０ａは、各制御装置３５ａ乃至３５ｅに対して略同時にデータを送信することが可能であり、かつ、各制御装置３５ａ乃至３５ｅは、色調整装置５０ａに対してデータを送信することが可能となる。同様に、色調整装置５０ｂは、各制御装置３５ｆ乃至３５ｊに対して略同時にデータを送信することが可能であり、かつ、各制御装置３５ｆ乃至３５ｊは色調整装置５０ｂに対してデータを送信することが可能となる。
【００４９】
続いて、色調整装置５０ａ、５０ｂは、自己の管理下に置かれた輪転印刷機２ごとに、図１０に示した色調整データを作成し、この色調整データを各輪転印刷機２に対して個別に送信する。これにより、色調整装置５０ａから各回線＃１乃至＃５を介して各制御装置３５ａ乃至３５ｅに色調整データがそれぞれ個別に送信され、同様に、色調整装置５０ｂから各回線＃６乃至＃１０を介して各制御装置３５ｆ乃至３５ｊに色調整データがそれぞれ個別に送信される。
なお、ここで送信される色調整データは、初回のインキキー開度の制御指令に相当するので、図１０に示した全てのカラム調整データとして、有効データが書き込まれていることとなる。
【００５０】
各制御装置３５のリモートＣＰＵ３６は、色調整データを受信すると、この色調整データに基づいて図４に示した各インキキー調整装置３０を制御することにより、各インキキー開度を調節する。
具体的には、リモートＣＰＵ３６は、色調整装置５０から色調整データを受信すると、この色調整データを各印刷ユニット制御装置３７に対して並行して出力する。印刷ユニット制御装置３７は、色調整データのうち、自分宛ての印刷ユニット用データのみを取り込み、更に、この印刷ユニット用データを分解することにより、各カラム調整データを取り出す。そして、取り出したカラム調整データを自己が備える各メモリエリアにそれぞれ書き込む。初回の色調整データ受信の際には、全てのカラム調整データには有効データが書き込まれているので、印刷ユニット制御装置３７は、各メモリエリアに対して対応する有効データをそれぞれ書き込む。続いて、印刷ユニット制御装置３７は、書き換え後のメモリアドレスの値に基づいて、ローカルＣＰＵ送信用のデータフレームを作成し、このデータフレームを各ローカルＣＰＵ３８に対して並行して出力する。
【００５１】
ローカルＣＰＵ３８は、ローカルＣＰＵ送信用のデータフレームを受け取ると、このデータフレームから自分宛のデータのみを取り込む。そして、この有効データに基づく励磁信号をモータ３３に与えることにより、各インキキー開度を目標値に設定する。
【００５２】
このようにして各インキキー開度が好適な値に設定されると、印刷が開始される。図１に示した各輪転印刷機２が備える給紙装置３からウェブＷが繰り出され、各印刷部７において好適なインキ量による印刷が順次行われて、高品質な印刷物が折機４から排出されることとなる。
【００５３】
このようにして印刷が開始されると、各輪転印刷機２により印刷された印刷紙面の濃度が一定時間間隔でＩＲＧＢ濃度計１０によりそれぞれ計測され、この計測結果が色調整装置５０にそれぞれ入力される。色調整装置５０は、ＩＲＧＢ濃度計１０から新たな計測結果が入力される度に、色調整データを作成して各輪転印刷機２へ個別に送信する。
制御装置３５は、色調整装置５０から色調整データを受信する度に、受信した色調整データのうち、有効データに基づいて各モータ３３を調整する。
【００５４】
続いて、上述のような色調整のフィードバック制御が自動で行われている最中において、操作パネル６０がオペレータにより操作された場合には、手動制御を通知する旨の信号が制御装置３５のリモートＣＰＵ３６に出力される。リモートＣＰＵ３６は、当該信号を受け付けると、上述した色調整データに基づくインキキー開度の制御を停止し、操作パネル６０から入力されたインキキー開度の制御指令（割込制御指令）に基づく制御を開始する。このとき、操作パネル６０では、上述した色調整装置５０と同様のデータ構造からなる色調整データを作成し、制御装置３５のリモートＣＰＵ３６に出力する。これにより、制御装置３５は、上述した処理手順と同様にして、各インキキー開度を調整することが可能となる。
またこれと略同時に、色調整データの送信元である色調整装置５０に対して、色調整データの送信停止要求を送信する。これにより、ネットワーク１００を介して送信停止要求が自己を管理下としている色調整装置５０に通知される。この送信停止要求を受け付けた色調整装置５０は、送信停止要求の送信元に当たる制御装置３５へのデータ伝送を停止する。
以上の処理が実施されることにより、色調整装置５０からの色調整データに基づくインキキー開度の制御から操作パネル６０から与えられた割込制御指令に基づくインキキー開度の制御へと速やかに移行することが可能となる。
【００５５】
また、同様に、遠隔操作卓５１がオペレータにより操作され、所定の輪転印刷機２に対するインキキー開度の制御指令（割込制御指令）が入力された場合には、手動制御を通知する旨の信号が遠隔操作卓５１から該当する輪転印刷機２の制御装置３５に対してネットワーク１００を介して送信される。
制御装置３５は、当該信号を受け付けると、上述した色調整データに基づくインキキー開度の制御を停止し、遠隔操作卓５１から送信されてくるインキキー開度の割込制御指令に基づく制御を開始する。このとき、遠隔操作卓５１では、上述した色調整装置５０と同様のデータ構造からなる色調整データを作成し、制御装置３５のリモートＣＰＵ３６に出力する。これにより、制御装置３５は、上述した処理手順と同様にして、各インキキー開度を調整することが可能となる。
また、これと略同時に、色調整データの送信元である色調整装置５０に対して色調整データの送信停止要求を送信する。これにより、色調整装置５０によるデータ伝送が停止され、遠隔操作卓５１からの割込制御指令に基づくインキキー開度の制御が行われる。
【００５６】
そして、オペレータによる操作パネルの操作、或いは、遠隔操作卓５１といった遠隔操作装置の操作が終了したことにより、上述した操作卓６０や遠隔操作卓５１から手動色調整の終了通知が制御装置３５にて受け付けられると、制御装置３５のリモートＣＰＵ３６は、自己を管理下におく色調整装置５０に対して送信再開要求を送信する。これにより、色調整装置５０による色調整データの送信処理が再開され、色調整データに基づくインキキー開度の制御が再開されることとなる。
そして、上述したように、印刷物の色濃度等が常に管理されながら、印刷が進められることにより、予定枚数の印刷が終了すると、その旨が上位装置等から色調整装置５０へネットワーク１００を介して通知される。
この印刷終了通知を受信した色調整装置５０は、色調整処理を終了するとともに、今まで接続していた各制御装置３５との回線接続を切断する。これにより、次の印刷が開始されるまで、ネットワーク資源は他の通信装置（図示せず）に対して開放されることとなる。
【００５７】
なお、回線接続の手順については、上述した印刷開始、終了を基準としたシーケンスに限られるものではなく、例えば、通常運転時の印刷機と折機の接続状態から印刷内容に応じて印刷機や折機の組み合わせを変更しその連結範囲を設定する運用を行う場合には、印刷が開始される前の連結範囲が決定され、どの印刷機や折機が管理下に置かれたかが判明した印刷開始前の段階で通信回線の接続要求を行い、その後、連結対象から印刷機または折機が外れその対象機が印刷終了後となった段階で通信回線の切断要求を出力するシーケンスを採用しても良い。
【００５８】
次に、上述とは異なる新聞を印刷するに当たり、その新聞の部数や種別に応じて折機に連結される輪転印刷機が変更され、例えば、図１３に示すように、輪転印刷機２ａ乃至２ｇが折機４ａに連結され、輪転印刷機２ｈ乃至２ｇが折機４ｂに連結された場合には、色調整装置５０ａに対して輪転印刷機２ａ乃至２ｇが管理下になった旨が、色調整装置５０ｂには、輪転印刷機２ｈ乃至２ｇが管理下になった旨が上位装置等から通知される。これにより、各色調整装置５０とその管理下に置かれた輪転印刷機２の制御装置３５との回線がそれぞれ接続され、上述したような色調整データの送信処理が開始されることとなる。
【００５９】
更に、輪転印刷機２の連結状態として、図１４に示すように、輪転印刷機の一部が他の折機４に連結される場合もある。例えば、図１４では、輪転印刷機２が備える８つの印刷ユニット８のうち、上段の４つの印刷ユニットＡが折機４ａに連結され、下段の４つの印刷ユニットＢが折機４ｂに連結される場合もある。このような場合には、各色調整装置５０に対して、管理下におかれた輪転印刷機２の情報に加えて、管理下におかれた印刷ユニット８の情報が通知されることとなる。
【００６０】
このような場合、輪転印刷機２の単位で考えると、１つの輪転印刷機２が２つの色調整装置５０ａ、５０ｂの管理下におかれることとなる。この場合、輪転印刷機２の制御装置３５は、２つの色調整装置５０ａ、５０ｂとの回線をそれぞれ個別に接続し、各色調整装置５０ａ，５０ｂの双方から色調整データを受信することとなる。
ここで、各色調整装置５０は、自己の管理下に置かれていない印刷ユニットに関するカラム調整データには、継続データを書き込むことにより色調整データを作成する。具体的には、色調整装置５０ａは、印刷ユニットＢが備えているインキキーに対応する全てのカラム調整データに継続データを書き込み、同様に、色調整装置５０ｂは、印刷ユニットＡが備えているインキキーに対応する全てのカラム調整データに継続データを書き込むことによりそれぞれ色調整データを作成する。
また、制御装置３５は、複数台の色調整装置５０から色調整データを受信した場合には、両者の色調整データを比較し、有効データが書き込まれているカラム調整データについては、有効データを優先して採用する。これにより、管理下にある色調整装置５０からの制御指令を正確に採用することが可能となる。
【００６１】
このように、自己が管理しないインキキーに対しては継続データを書き込むことにより、各色調整装置５０により出力された同一のインキキーに対する制御指令が混同することを回避することができ、常に、正しい制御指令に基づいてインキキー開度を調整することが可能となる。更に、このような連結態様においても、各色調整装置５０から送信される色調整データのデータ構造が変わらないため、様々な連結態様に速やかに対応することができる。
【００６２】
以上、説明してきたように、本実施形態に係る印刷システムによれば、色調整装置５０におけるデータ作成部８３が、前回のインキキー開度と今回演算された最新のインキキー開度とが同じ値であった場合、そのインキキーに対する制御指令として、現在の制御状態を継続して行う旨を指示する継続データを採用して色調整データを作成するので、当該データフレームを受信した印刷装置３５では、制御指令として継続データが採用されているインキキーについては、特に制御量を気にすることなく、現在行っている制御を継続して行えばよいこととなる。これにより、処理負担の軽減等を図ることが可能となる。
【００６３】
そして、このように継続データを使用することにより、以下のようなデメリットを回避することができる。
例えば、上述のように継続データを使用せずに、全てのインキ調整データとして、演算部８１により算出されたインキキー開度を有効データとして書き込んだ場合、色調整装置５０は、常に、現在のインキキー開度を監視している必要が生ずる。このため、色調整装置５０は、制御装置３５からインキキー開度の現在値を高速で取得する必要があり、処理負担が増大する。
更に、上記現在のインキキー開度をアナログ検知している場合には、微小変動により生じるインキキー開度の制御指令が変動してしまうため、モータを動かす必要のない場合であってもモータを駆動してしまうことにより、インキキー開度調整装置３０の寿命の短縮化を招くこととなる。
【００６４】
なお、上述した実施形態においては、操作パネル６０或いは遠隔操作卓５１から色調整に関する指令を受け付けた場合に、各色調整装置５０に対して送信停止要求を送信していたが、送信停止要求を送信しない態様を取ることも可能である。この場合、制御装置３５は、操作卓６０或いは遠隔操作卓５１からの制御指令を色調整装置５０からの色調整データよりも優先させて採用することにより、インキキー開度の制御を円滑に行う。
また、他の態様として、色調整装置５０は、上記送信停止要求を受信した場合に、自己が送信する色調整データにおける全てのカラム調整データとして継続データを書き込み、この色調整データを送信することとしても良い。このような場合には、制御装置３５の印刷ユニット制御装置３７が有効データを優先して採用することにより、操作卓６０または遠隔操作卓５１からの制御指令を優先させることができる。
【００６５】
また、上述した実施形態においては、色調整装置５０からの色調整データに基づいてインキキー開度を制御する場合について述べたが、例えば、色調整装置５０が印刷ユニット８の湿し水の供給量についても制御可能な構成としても良い。このような場合、色調整装置５０からは上記カラム調整データに代えて、湿し水の供給量に関する制御指令、例えば、スプレーノズルからの単位時間あたりの噴出水量、噴出時間、噴出間隔、噴出ノズル数などの設定指令情報が送信されることになる。そして、制御装置３５は、この設定指令情報に基づいて湿し水の供給量が好適な値に調整することができ、ひいては高品質な印刷を実現させることが可能となる。
【００６６】
また、図８に示した制御システムは、図１５に示すように、各色調整装置５０ａ，５０ｂに対応してインタフェース装置７０ａ，７０ｂをそれぞれ有し、各色調整装置５０ａ，５０ｂがインタフェース装置７０ａ，７０ｂを介して管理下にある各制御装置３５ａ乃至３５ｊとデータの送受を行うようなネットワーク構成としても良い。ここで、インタフェース装置７０は、色調整装置５０と制御装置３５との間にデータの互換性がない場合に設けられるものであり、色調整装置５０から出力された色調整データを制御装置３５に適応するデータ形式に変換して各制御装置３５へ送信するものである。
このように、インタフェース装置７０を設けることにより、自動色調整の適用範囲を拡大することが可能となる。
【００６７】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００６８】
【図１】本発明の一実施形態に係る印刷システムの概略構成を示した図である。
【図２】対向位置された２つの印刷ユニットの概略構成を示す模式的な側面図である。
【図３】インキ供給装置を示す図であり、インキ供給装置から版胴までのインキ供給に係る構成を示す模式的な側面図である。
【図４】インキ供給装置を示す図であり、ウェブとインキキーユニットの関係を示す図である。
【図５】インキ供給装置を示す図であり、インキキーユニットの概略構成を示す図である。
【図６】インキ供給装置を示す図であり、インキキー開度を調整するインキキー開度調整装置の概略構成を示す図である。
【図７】インキ着けローラからゴム胴までのインキ供給に係る構成を示す模式的な側面図である。
【図８】輪転印刷機を制御する制御システムのネットワーク構成を示す図である。
【図９】色調整装置の概略構成を示したブロック図である。
【図１０】８つの印刷ユニットを備える輪転印刷機に対して送信される色調整データの構造を模式的に示した図である。
【図１１】制御装置の概略構成を示すブロック図である。
【図１２】各色調整装置と各輪転印刷機との間で確立される通信回線の接続態様を示した図である。
【図１３】輪転印刷機の連結状態の他の態様を示した図である。
【図１４】輪転印刷機の連結状態の他の態様を示した図である。
【図１５】図８に示した制御システムにインタフェース装置を更に追加した例を示した図である。
【符号の説明】
【００６９】
１  印刷システム
２ａ乃至２ｊ  輪転印刷機
４  折機
８  印刷ユニット
１０  ＩＲＧＢ濃度計
２０  インキキーユニット
２１  インキ元ローラ
２６ａ乃至２６ｈ  インキキー
３０  インキキー開度調整装置
３３  モータ
３５  制御装置
３６  リモートＣＰＵ
３７  印刷ユニット制御装置
３８  ローカルＣＰＵ
３９  スプレーダンプナ
４０  水着ローラ
４１  水ライダローラ
４２  水揺動ローラ
５０ａ、５０ｂ  色調整装置
５１ａ、５１ｂ  遠隔操作卓
６０  操作パネル
８１  演算部
８２  判断部
８３  データ作成部
８４  送信部
【図１】
2007185932.tif 000003
【図２】
2007185932.tif 000004
【図３】
2007185932.tif 000005
【図４】
2007185932.tif 000006
【図５】
2007185932.tif 000007
【図６】
2007185932.tif 000008
【図７】
2007185932.tif 000009
【図８】
2007185932.tif 000010
【図９】
2007185932.tif 000011
【図１０】
2007185932.tif 000012
【図１１】
2007185932.tif 000013
【図１２】
2007185932.tif 000014
【図１３】
2007185932.tif 000015
【図１４】
2007185932.tif 000016
【図１５】
2007185932.tif 000017